(57)【特許請求の範囲】
【請求項１】
デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、複数階層化されたＴＳ（Ｔｒａｎｓｐｏｒｔ  Ｓｔｒｅａｍ）パケットを各階層毎に分類して再生するＴＳパケット再生手段を有するデジタル放送受信装置であって、
前記ＴＳパケット再生手段は、再生するＴＳパケットが時間調整用のＴＳヌル（無効）パケットである場合には、該パケットを示すヌルＴＳ信号を出力し、
前記誤り訂正／復号ブロックにおける前記ＴＳパケット再生手段よりも後段の少なくとも一つの回路部で使用されるクロック信号の供給経路上に設置され、前記ヌルＴＳ信号を受信した場合、クロック信号の供給を停止するクロック信号供給停止手段
を備えることを特徴とするデジタル放送受信装置。
【請求項２】
前記誤り訂正／復号ブロックは、再生されたＴＳパケットのデータの誤り訂正を行なうＲＳ（リードソロモン）復号手段を有し、
前記クロック信号供給停止手段は、前記ＲＳ復号手段の少なくとも一部分で使用されるクロック信号の供給経路上に設置される
ことを特徴とする請求項１記載のデジタル放送受信装置。
【請求項３】
前記ＲＳ復号手段は、誤りシンドロームを算出するシンドローム算出手段を備え、
前記クロック信号供給停止手段は、前記シンドローム算出手段に使用されるクロック信号の供給経路上に設置される
ことを特徴とする請求項２記載のデジタル放送受信装置。
【請求項４】
前記ＲＳ復号手段は、誤り位置および誤り数値を算出する誤り算出手段を備え、
前記クロック信号供給停止手段は、前記誤り算出手段に使用されるクロック信号の供給経路上に設置される
ことを特徴とする請求項２記載のデジタル放送受信装置。
【請求項５】
前記ＲＳ復号手段は、再生されたＴＳパケットのデータを誤り数値が算出されるまで遅延させるためのメモリを備え、
前記クロック信号供給停止手段は、前記メモリに使用されるクロック信号の供給経路上に設置される
ことを特徴とする請求項２記載のデジタル放送受信装置。
【請求項６】
前記誤り訂正／復号ブロックは、再生されたＴＳパケットのデータを各階層毎にバイトデインタリーブを行うバイトデインタリーブ手段を有し、
前記クロック信号供給停止手段は、前記バイトデインタリーブ手段で使用されるクロック信号の供給経路上に設置される
ことを特徴とする請求項１記載のデジタル放送受信装置。
【請求項７】
前記誤り訂正／復号ブロックは、再生されたＴＳパケットのデータを各階層毎にエネルギー逆拡散を行うエネルギー逆拡散手段を有し、
前記クロック信号供給停止手段は、前記エネルギー逆拡散手段で使用されるクロック信号の供給経路上に設置される
ことを特徴とする請求項１記載のデジタル放送受信装置。
【請求項８】
デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、複数階層化されたＴＳパケットを各階層毎に分類して再生するＴＳパケット再生手段を有するデジタル放送受信装置であって、
前記ＴＳパケット再生手段は、再生するＴＳパケットの階層を示すＴＳ階層信号を出力し、
前記誤り訂正／復号ブロックは、再生されたＴＳパケットのデータに各階層毎にバイトデインタリーブを行うバイトデインタリーブ手段を有し、
前記バイトデインタリーブ手段における各階層で使用されるクロック信号の供給経路上に設置され、前記ＴＳ階層信号を受信した場合、前記ＴＳ階層信号で指定された階層のみにクロック信号を供給し、他の階層については供給を停止させるクロック信号供給選択手段
を備えることを特徴とするデジタル放送受信装置。
【請求項９】
デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、複数階層化されたＴＳパケットを各階層毎に分類して再生するＴＳパケット再生手段を有するデジタル放送受信装置であって、
前記ＴＳパケット再生手段は、再生するＴＳパケットの階層を示すＴＳ階層信号を出力し、
前記誤り訂正／復号ブロックは、再生されたＴＳパケットのデータに各階層毎にエネルギー逆拡散を行うエネルギー逆拡散手段を有し、
前記エネルギー逆拡散手段における各階層で使用されるクロック信号の供給経路上に設置され、前記ＴＳ階層信号を受信した場合、前記ＴＳ階層信号で指定された階層のみにクロック信号を供給し、他の階層については供給を停止させるクロック信号供給選択手段
を備えることを特徴とするデジタル放送受信装置。
【請求項１０】
デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、再生されたＴＳパケットのデータの誤り訂正を行なうＲＳ復号手段中に、誤りシンドロームを算出するシンドローム算出手段と、誤り位置および誤り数値を算出する誤り算出手段とを備えるデジタル放送受信装置であって、
前記シンドローム算出手段は、算出されたシンドローム値が誤りゼロである場合には、受信したパケットのデータに誤りが無いこと示す誤りゼロ信号を出力し、
前記誤り算出手段で使用されるクロック信号の供給経路上に設置され、前記誤りゼロ信号を受信した場合、クロック信号の供給を停止するクロック信号供給停止手段
を備えることを特徴とするデジタル放送受信装置。
【請求項１１】
デジタルテレビジョン放送またはデジタル音声放送の受信信号を復調出力するデジタル放送受信装置において、クロック信号の供給を受けて誤り訂正および復号処理を実施するステップを有し、該誤り訂正／復号ステップでは、複数階層化されたＴＳパケットを各階層毎に分類して再生する処理を実施する受信方法であって、
前記ＴＳパケット再生処理では、再生するＴＳパケットが時間調整用のＴＳヌル（無効）パケットである場合には、該パケットを示すヌルＴＳ信号を出力し、
前記ヌルＴＳ信号を受信した場合、前記誤り訂正／復号ステップにおける前記ＴＳパケット再生処理よりも後の少なくとも一つの処理に使用されるクロック信号の供給を停止する処理を実施する
ことを特徴とするデジタル放送受信装置の受信方法。
【請求項１２】
デジタルテレビジョン放送またはデジタル音声放送の受信信号を復調出力するデジタル放送受信装置において、クロック信号の供給を受けて誤り訂正および復号処理を実施するステップを有し、該誤り訂正/復号ステップでは、複数階層化されたＴＳパケットを各階層毎に分類して再生する処理を実施する受信方法であって、
前記ＴＳパケット再生処理では、再生するＴＳパケットの階層を示すＴＳ階層信号を出力し、
前記誤り訂正／復号ステップでは、再生されたＴＳパケットのデータに各階層毎にバイトデインタリーブ処理を行い、
前記ＴＳ階層信号を受信した場合、前記バイトデインタリーブ処理における各階層で使用されるクロック信号の供給経路において、前記ＴＳ階層信号で指定された階層のみにクロック信号を供給し、他の階層については供給を停止させる処理を実施する
ことを特徴とするデジタル放送受信装置の受信方法。
【請求項１３】
デジタルテレビジョン放送またはデジタル音声放送の受信信号を復調出力するデジタル放送受信装置において、クロック信号の供給を受けて誤り訂正および復号処理を実施するステップを有し、該誤り訂正／復号ステップでは、複数階層化されたＴＳパケットを各階層毎に分類して再生する処理を実施する受信方法であって、
前記ＴＳパケット再生処理では、再生するＴＳパケットの階層を示すＴＳ階層信号を出力し、
前記誤り訂正／復号ステップでは、再生されたＴＳパケットのデータに各階層毎にエネルギー逆拡散処理を行い、
前記ＴＳ階層信号を受信した場合、前記エネルギー逆拡散処理における各階層で使用されるクロック信号の供給経路において、前記ＴＳ階層信号で指定された階層のみにクロック信号を供給し、他の階層については供給を停止させる処理を実施する
ことを特徴とするデジタル放送受信装置の受信方法。
【請求項１４】
デジタルテレビジョン放送またはデジタル音声放送の受信信号を復調出力するデジタル放送受信装置において、クロック信号の供給を受けて誤り訂正および復号処理を実施するステップを有し、該誤り訂正／復号ステップでは、再生されたＴＳパケットのデータの誤り訂正を行なうＲＳ復号処理中に、誤りシンドロームを算出する処理を実施し、誤り位置および誤り数値を算出する処理を実施する受信方法であって、
前記誤りシンドローム算出処理では、算出されたシンドローム値が誤りゼロである場合には、受信したパケットのデータに誤りが無いこと示す誤りゼロ信号を出力し、
前記誤りゼロ信号を受信した場合、前記誤り位置及び数値算出処理で使用されるクロック信号の供給経路において、クロック信号の供給を停止する処理を実施する
ことを特徴とするデジタル放送受信装置の受信方法。
【発明の詳細な説明】
【０００１】
【発明の属する技術分野】
この発明は、地上波デジタルテレビジョン放送の受信機および地上波デジタル音声放送の受信機に関する。
【０００２】
【従来の技術】
現在、テレビジョン放送やラジオ放送のデジタル化が推進されており、衛星放送のデジタル化に続いて、地上波デジタルテレビジョン放送および地上波デジタル音声放送が実現される予定である。
【０００３】
地上波デジタルテレビジョン放送および地上波デジタル音声放送の放送方式は、電気通信技術審議会デジタル放送システム委員会報告書の「地上波デジタルテレビジョン放送方式の技術的条件」、および、電気通信技術審議会において答申された「地上波デジタル音声放送方式の技術的条件」に準拠することが一般的である。
【０００４】
図１８は、上記した一般的な放送方式の地上波デジタルテレビジョン放送受信機の一例を示す図である。なお、このブロック図は、例えば映像情報メディア学会誌Ｖｏｌ．５４、Ｎｏ．６．ｐ．９０５に記載のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）受信機の構成を詳細に表したものに相当する。
【０００５】
図１８において、デジタルテレビジョン放送用チューナ１は、ＶＨＦ帯（約９０ＭＨＺから約２００ＭＨＺ）、あるいは、ＵＨＦ帯（約４７０ＭＨＺから約７７０ＭＨＺ）から、ユーザの希望する放送チャンネルの帯域を受信する。そして、受信波を、例えば、５７ＭＨｚを中心周波数とするＩＦ（Ｉｎｔｅｒｍｅｄｉａｔｅ  Ｆｒｅｑｕｅｎｃｙ）に変換する。
【０００６】
そして、ＳＡＷフィルタ２の出力は、ＩＦ変換回路３に与えられ、ＩＦ変換回路３によって、ＩＦが、例えば、４．１ＭＨｚを中心周波数とするローカル周波数に変換される。
【０００７】
ローパスフィルタ４は、ＳＡＷフィルタ２より後の処理段階において、受信信号に混入した高調波ノイズ等を、ＩＦ変換回路３の出力信号から除去する。そして、ローパスフィルタ４の出力は、ＡＤ変換器６でデジタル信号に変換され、ＯＦＤＭ復調部７内の時間ドメイン処理部８に入力される。
【０００８】
時間ドメイン処理部８は、時間領域で表現された受信波に対して信号処理を行なうブロックであり、例えば受信波中のガードインターバル信号からタイミングの検出や調整などを行なう。さらに、時間ドメイン処理部８は、検出した受信波のタイミングを用いてＶＣＸＯ（Ｖｏｌｔａｇｅ  Ｃｏｎｔｏｒｏｌｌｅｄ  Ｘｔａｌ  Ｏｓｃｉｌｌａｔｏｒ）１９の同期制御を行なう。なお、ＶＣＸＯ１９への制御信号は、ＤＡ変換器１８でデジタル信号からアナログ信号に変換される。また、ＶＣＸＯ１９は、地上波デジタルテレビジョン放送方式の準拠クロック（５１２／６３）ＭＨＺ＝８．１２ＭＨＺの４倍の３２．５ＭＨＺのクロック信号を生成可能としている。
【０００９】
ＶＣＸＯ１９の生成したクロック信号ＣＬＫ１は、時間ドメイン処理部８、ＦＦＴ（Ｆａｓｔ  Ｆｏｕｒｉｅｒ  Ｔｒａｎｓｆｏｒｍ）部９、周波数ドメイン処理部１０、デインタリーブ部１１、および、誤り訂正／復号ブロック１２に入力され、各部の動作クロックとなる。
【００１０】
時間ドメイン処理部８の出力は、ＦＦＴ部９に与えられ、その出力中に含まれる複数のキャリア（搬送波）の周波数と信号強度とを算出する高速フーリエ変換処理が施されて周波数領域の信号なる。
【００１１】
ＦＦＴ部９の出力は、周波数ドメイン処理部１０に与えられる。周波数ドメイン処理部１０においては、周波数ドメインに変換された受信波中のキャリアの周波数のずれを検出してＰＬＬ回路等を用いて補正が行なわれる。さらに、周波数ドメイン処理部１０においては、ＯＦＤＭの同期・差動復調処理も行なわれる。
【００１２】
周波数ドメイン処理部１０の出力は、デインタリーブ部１１に与えられ、そこでデインタリーブ処理が行なわれる。そして、デインタリーブ部１１の出力は、誤り訂正／復号ブロック１２に与えられ、そこで、誤り訂正処理、および、復号処理が行なわれる。なお、デジタルテレビジョン放送に関する上記規定においては、伝送方式として最大３階層までが設定可能とされており、デインタリーブの処理の深さや、誤り処理における畳みこみ符号化率などについては、各階層に対応させて変換させることが可能である。
【００１３】
誤り訂正／復号ブロック１２内では、まず、ＴＳパケット再生部１３（ＴＳパケット再生手段）でＴＳ（Ｔｒａｎｓｐｏｒｔ  Ｓｔｒｅａｍ）パケットの再生が行なわれる。ＴＳパケットの再生は、上記の階層毎に入力信号を１ＴＳパケットのデータ量に相当するまで蓄積し、１ＴＳパケット分の信号の蓄積が終了すると、その信号を後段のビタビ複合部１４に出力する。１ＴＳパケット分のデータが蓄積するまでの期間は、ヌル（無効）のＴＳパケットを作成して出力する。通常、ＴＳヌルパケットには、該ＴＳパケットがＴＳヌルパケットであることを示す情報ビットが挿入され、データ領域には、無意味な‘０’などのデータが入る。
【００１４】
ビタビ復号部１４では、入力信号をビタビ復号し、誤り訂正を行なう。ビタビ復号されたデータは、シンボルからバイトに変換されて、バイトデインタリーブ部１５（バイトデインタリーブ手段）に出力される。
【００１５】
バイトインタリーブ部１５は、階層毎の入力ＴＳパケットに対して独立して畳こみバイトデインタリーブを施す。ＴＳパケット再生部１３で作成されたＴＳヌルパケットには、デインタリーブを行わない。
【００１６】
バイトデインタリーブ部１５の出力は、エネルギー逆拡散部１６（エネルギー逆拡散手段）に与えられる。エネルギー逆拡散部１６も、バイトデインタリーブ部１５と同様に階層毎の入力ＴＳパケットに対して独立にエネルギー逆拡散を行ない、ＴＳパケット再生部１３で作成されたＴＳヌルパケットには、エネルギー逆拡散処理をしない。
【００１７】
エネルギー逆拡散部１６より出力されたＴＳパケットは、ＲＳ（リードソロモン）復号部１７（ＲＳ復号手段）に与えられる。ＲＳ復号部１７では、入力ＴＳパケットに対して８バイトまでの誤り訂正をすることが可能である。
【００１８】
図１９は、図１８のＲＳ復号部１７の内部回路ブロックを示した図である。入力ＴＳパケットのデータは、メモリ１０６とシンドローム算出回路１００（シンドローム算出手段）に与えられる。メモリ１０６は、ＲＳ復号の処理が終了し、パケットデータの誤り訂正が可能になるまでデータを遅延させる。シンドローム算出回路１００は、入力ＴＳパケットのデータから誤りシンドローム値を算出する。
【００１９】
シンドローム算出回路１００で算出された誤りシンドロームは、誤り算出回路１０７（誤り算出手段）中の誤り位置多項式算出部１０１と、誤り数値多項式算出部１０２に与えられる。誤り位置多項式算出部１０１では、与えられた誤りシンドロームを用いて誤りの位置を示す値が解となる多項式を算出する。一方、誤り数値多項式算出部１０２では、与えられた誤りシンドロームを用いて誤りの大きさ（数値）が解となる多項式を算出する。誤り位置多項式算出部１０１で算出された誤り位置多項式は、誤り位置算出部１０３に出力される。誤り数値多項式算出部１０２で算出された誤り数値多項式は、誤り数値算出部１０４に与えられる。
【００２０】
誤り位置算出部１０３は、与えられた誤り位置多項式の解を算出し、誤りの位置を特定する。誤り位置多項式の解である誤り位置情報は、誤り数値算出部１０４に与えられる。
【００２１】
誤り数値多項式算出部１０２から与えられた誤り数値多項式、および、誤り位置算出部１０３から与えられた誤り数値情報より、誤り数値算出部１０４は、複数の誤り位置のそれぞれの位置に対する誤りの大きさを算出する。算出された誤りの大きさ（誤り数値）と、誤り位置情報は、誤り訂正出力回路１０５に出力される。
【００２２】
誤り訂正出力回路１０５では、メモリ１０６より遅延させたデータを読み出し、前段で算出された誤り位置情報の示すＴＳパケット内のデータを、算出された誤り数値に従って訂正して出力する。
【００２３】
【発明が解決しようとする課題】
以上のように構成された地上波デジタルテレビジョン放送、および、地上波デジタル音声放送の受信機は、誤り訂正／復号ブロック１２におけるバイトデインタリーブ部１５、および、エネルギー逆拡散部１６で、複数の伝送階層に対して独立に処理を行なう必要がある。
【００２４】
また、複数の階層毎に処理を独立させる必要性から、１階層につきバイトデインタリーブ部とエネルギー逆拡散部を１組づつ個々に設けることになり、地上波デジタルテレビジョン放送では、合計３階層を処理するために、図１８に示したように、並列する３組のインタリーブ部およびエネルギー逆拡散部が必要である。
【００２５】
ところで、ＴＳパケット再生部１３から出力されるＴＳパケットは、１ＴＳパケットづつ時間多重されて出力される。図２０は、ＴＳパケット再生部１３から時間多重されて出力されるＴＳパケットの一例を示した図である。図２０に示すように、ＴＳパケットの時間多重出力には、いずれかの階層に属するＴＳパケット２０１、２０２、２０４に混ざって、時間調整のためのＴＳヌルパケット２０３、２０５が多重されている。
【００２６】
このため、いずれかの階層に属するＴＳパケットがＴＳパケット再生部１３から出力されている期間には、該当する階層以外の階層に属するＴＳパケットのためのインタリーブ部およびエネルギー逆拡散部は処理を行なう必要がない。
【００２７】
また、ＴＳヌルパケットがＴＳパケット再生部１３から出力されている期間には、ＴＳパケット再生部１３の後段に配置される全ての回路部分、即ち、バイトデインタリーブ部１５、エネルギー逆拡散部１６、ＲＳ復号部１７は、処理を行なう必要がない。
【００２８】
例えば、地上波デジタル放送方式においては、ＴＳパケット再生部１３よりＴＳヌルパケットが出力される期間は、多い場合には全期間の７／８程度にも相当する場合がある。
【００２９】
通常、このような処理の停止および処理の実行には、イネーブル信号が使用され、処理を行なう必要のない期間には、そのイネーブル信号により処理動作を停止させている。しかし、イネーブル信号で処理動作が停止されていても、クロック信号が供給されていれば、処理を行う必要のない期間中であっても各回路部で電力が消費されており、各ブロック／各部において電力を有効に利用していることにはならない。
【００３０】
このように処理の必要のない期間であっても、クロックが供給されていることから、無駄な電力を消費しているという問題があり、そこに電力を低減させる余地がある。
【００３１】
また、ＲＳ復号部１７におけるシンドローム算出回路１００は、受信ＴＳパケットに誤りデータが含まれているか否かを判別することができるが、ＴＳパケットに誤りが含まれていないと判別された場合に、後段の誤り数値多項式算出部１０２および誤り位置多項式算出部１０１、誤り数値算出部１０４、誤り位置算出部１０３は、処理を行う必要がない。このように誤りがないと判別されたことから、処理をする必要がない期間は、無駄な電力を消費しているという問題があり、電力を低減させる余地がある。
【００３２】
この発明は、上記した課題を解決するためになされたもので、ＴＳヌルパケットが再生されている期間、または、ＲＳ復号処理を行う必要のない期間の電力を低減することのできるデジタル放送受信機を提供し、また、異なる階層のＴＳパケットが再生されている期間の、他の階層を処理するための必要のない回路の電力を低減することのできるデジタル放送受信機を提供することを目的としている。
【００３３】
【課題を解決するための手段】
上述した目的を達成するために、請求項１に記載した本発明のデジタル放送受信装置は、デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、複数階層化されたＴＳパケットを各階層毎に分類して再生するＴＳパケット再生手段を有するデジタル放送受信装置であって、ＴＳパケット再生手段は、再生するＴＳパケットが時間調整用のＴＳヌルパケットである場合には、該パケットを示すヌルＴＳ信号を出力し、誤り訂正／復号ブロックにおけるＴＳパケット再生手段よりも後段の少なくとも一つの回路部で使用されるクロック信号の供給経路上に設置され、ヌルＴＳ信号を受信した場合、クロック信号の供給を停止するクロック信号供給停止手段を備えることを特徴とする。
【００３４】
また、請求項２に記載の本発明は、請求項１記載のデジタル放送受信装置において、誤り訂正／復号ブロックは、再生されたＴＳパケットのデータの誤り訂正を行なうＲＳ復号手段を有し、クロック信号供給停止手段は、ＲＳ復号手段の少なくとも一部分で使用されるクロック信号の供給経路上に設置されることを特徴とする。
【００３５】
また、請求項３に記載の本発明は、請求項２記載のデジタル放送受信装置において、ＲＳ復号手段は、誤りシンドロームを算出するシンドローム算出手段を備え、クロック信号供給停止手段は、シンドローム算出手段に使用されるクロック信号の供給経路上に設置されることを特徴とする。
【００３６】
また、請求項４に記載の本発明は、請求項２記載のデジタル放送受信装置において、ＲＳ復号手段は、誤り位置および誤り数値を算出する誤り算出手段を備え、クロック信号供給停止手段は、誤り算出手段に使用されるクロック信号の供給経路上に設置されることを特徴とする。
【００３７】
また、請求項５に記載の本発明は、請求項２記載のデジタル放送受信装置において、ＲＳ復号手段は、再生されたＴＳパケットのデータを誤り数値が算出されるまで遅延させるためのメモリを備え、クロック信号供給停止手段は、メモリに使用されるクロック信号の供給経路上に設置されることを特徴とする。
【００３８】
また、請求項６に記載の本発明は、請求項１記載のデジタル放送受信装置において、誤り訂正／復号ブロックは、再生されたＴＳパケットのデータを各階層毎にバイトデインタリーブを行うバイトデインタリーブ手段を有し、クロック信号供給停止手段は、バイトデインタリーブ手段で使用されるクロック信号の供給経路上に設置されることを特徴とする。
【００３９】
また、請求項７に記載の本発明は、請求項１記載のデジタル放送受信装置において、誤り訂正／復号ブロックは、再生されたＴＳパケットのデータを各階層毎にエネルギー逆拡散を行うエネルギー逆拡散手段を有し、クロック信号供給停止手段は、エネルギー逆拡散手段で使用されるクロック信号の供給経路上に設置されることを特徴とする。
【００４０】
また、請求項８に記載した本発明のデジタル放送受信装置は、デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、複数階層化されたＴＳパケットを各階層毎に分類して再生するＴＳパケット再生手段を有するデジタル放送受信装置であって、ＴＳパケット再生手段は、再生するＴＳパケットの階層を示すＴＳ階層信号を出力し、誤り訂正／復号ブロックは、再生されたＴＳパケットデータに各階層毎にバイトデインタリーブを行うバイトデインタリーブ手段を有し、バイトデインタリーブ手段における各階層で使用されるクロック信号の供給経路上に設置され、ＴＳ階層信号を受信した場合、ＴＳ階層信号で指定された階層のみにクロック信号を供給し、他の階層については供給を停止させるクロック信号供給選択手段を備えることを特徴とする。
【００４１】
また、請求項９に記載した本発明のデジタル放送受信装置は、デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、複数階層化されたＴＳパケットを各階層毎に分類して再生するＴＳパケット再生手段を有するデジタル放送受信装置であって、ＴＳパケット再生手段は、再生するＴＳパケットの階層を示すＴＳ階層信号を出力し、誤り訂正／復号ブロックは、再生されたＴＳパケットデータに各階層毎にエネルギー逆拡散を行うエネルギー逆拡散手段を有し、エネルギー逆拡散手段における各階層で使用されるクロック信号の供給経路上に設置され、ＴＳ階層信号を受信した場合、ＴＳ階層信号で指定された階層のみにクロック信号を供給し、他の階層については供給を停止させるクロック信号供給選択手段を備えることを特徴とする。
【００４２】
また、請求項１０に記載した本発明のデジタル放送受信装置は、デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、再生されたＴＳパケットデータの誤り訂正を行なうＲＳ復号手段中に、誤りシンドロームを算出するシンドローム算出手段と、誤り位置および誤り数値を算出する誤り算出手段とを備えるデジタル放送受信装置であって、シンドローム算出手段は、算出されたシンドローム値が誤りゼロである場合には、受信したパケットデータに誤りが無いこと示す誤りゼロ信号を出力し、誤り算出手段で使用されるクロック信号の供給経路上に設置され、誤りゼロ信号を受信した場合、クロック信号の供給を停止するクロック信号供給停止手段を備えることを特徴とする。
【００４３】
【発明の実施の形態】
以下、本発明を図示した実施形態に基づいて説明する。
実施の形態１．
本実施の形態のデジタル放送受信装置では、誤り訂正／復号ブロック中のＴＳパケット再生部からＴＳヌルパケットが出力された際に、ＲＳ復号部中のシンドローム算出回路に供給されるクロック信号を停止させるように構成した。
【００４４】
図１は、本発明の実施の形態１のデジタル放送受信装置における誤り訂正／復号ブロックの構成を示すブロック図である。
なお、以下の図１に基づく説明では、図１８および図１９に示した従来のデジタル放送受信装置における誤り訂正／復号ブロックと同様な機能を有する部分については、同じ符号を付与し、重複する説明については記載を省略する。
【００４５】
図１の誤り訂正／復号ブロック１２において、図１８に示した従来のデジタル放送受信装置における誤り訂正／復号ブロックの構成と異なる点は、ＴＳパケット再生部１３ａが、ＴＳヌルパケットを出力する場合にはヌルＴＳ信号を出力する点と、ＶＣＸＯ１９の生成したクロック信号ＣＬＫ１がＲＳ復号部１７内のシンドローム算出回路１００に供給される経路途中には、ヌルＴＳ信号を受信した場合にクロック信号の供給を停止するクロック信号供給停止部３００（クロック信号供給停止手段）を備え、ヌルＴＳ信号を受信しない場合にクロック信号供給停止部３００からクロック信号ＣＬＫ２が供給される点である。他の構成は、図１８に示した従来のデジタル放送受信装置における誤り訂正／復号ブロックの構成と同様である。
【００４６】
ＴＳパケット再生部１３ａが、ＴＳヌルパケットを出力する場合にヌルＴＳ信号を出力することを説明するために、ＴＳパケット再生部１３ａの構成及び動作について説明する。
【００４７】
図２（ａ）は、ＴＳパケット再生部１３ａの構成を示し、図２（ｂ）は、再生されたＴＳパケットおよびＴＳヌルパケットが出力される様子を図示したものである。
【００４８】
図２（ａ）に示すように、ＴＳパケット再生部１３ａは、（１）層〜（３）層の階層毎に受信データを蓄積する階層（１）ＴＳバッファ４０１、階層（２）ＴＳバッファ４０２、階層（３）ＴＳバッファ４０３、および、各ＴＳバッファ４０１〜４０３との接続を切り替えて再生されたＴＳパケットとして出力させると共に、各ＴＳバッファ４０１〜４０３の蓄積データが充分でない場合には何れのＴＳバッファからも出力させずにＴＳヌルパケットを出力させる切替手段４０４を備えている。
【００４９】
図２（ｂ）に示すように、各ＴＳバッファ４０１〜４０３は、入力する受信データを（１）層〜（３）層の階層毎に蓄積し、ある階層のＴＳパケットのデータが全て蓄積された場合、所定のタイミング（例えば、図２０に示したＴＳパケットの２０４バイトの間隔Ｔ＝１、２、３・・・）でその階層の全てのデータをバッファから読み出し、再生されたＴＳパケットとして出力する。また、何れのバッファにも、その階層のＴＳパケット用のデータが全て蓄積されていない場合、その期間中には、ＴＳパケット再生部１３ａは、ＴＳヌル（無効）パケットを作成して出力する。ＴＳヌルパケットは受信データから構成されるＴＳパケットではなく、時間調整のために挿入される無効パケットである。
【００５０】
ＴＳパケット再生部１３ａより出力されたＴＳパケットは、ビタビ復号部１４でビタビ復号され、階層毎に独立して設けられたバイトデインタリーブ部１５およびエネルギー逆拡散部１６に供給され、バイトデインタリーブ、エネルギー逆拡散処理を施され、ＲＳ復号部１７に出力される。
【００５１】
次に、本実施の形態では、ヌルＴＳ信号を受信した場合には、クロック信号供給停止部３００により、ＲＳ復号部１７内のシンドローム算出回路１００へのクロックの供給を停止させるが、これが可能となる理由について説明する。
【００５２】
まず、ＲＳ復号部１７において、入力したＴＳパケットのデータはメモリ１０６とシンドローム算出回路１００に分散して供給される。つまり、入力したデータは、シンドローム算出回路１００のものが消滅しても、メモリ１０６には残っていることになる。
【００５３】
シンドローム算出回路１００では、入力したＴＳパケットのデータから誤りシンドロームを算出する。シンドローム算出回路１００で算出されるシンドローム値は、入力したＴＳパケットに誤りが含まれない場合には、誤りがない時のシンドローム値であるオールゼロの値となり、誤りが含まれる場合には、オールゼロの値以外の値となって、次の段の誤り算出回路１０７に出力される。
【００５４】
ところで、ヌルＴＳ信号を受信した場合、すなわち、ＴＳパケット再生部１３ａによって作成されたＴＳヌルパケットがＲＳ復号部１７に入力してくる場合というのは、ＴＳヌルパケットに誤りデータが含まれることはありえないので、シンドローム算出回路１００によって算出されるシンドロームは、誤りなしの場合のシンドローム値であるオールゼロの値となる。よって、ヌルＴＳ信号を受信した場合、すなわち、ＴＳヌルパケットが入力してくる場合というのは、あえてシンドローム算出回路１００でシンドローム値を算出する必要は無く、いつでもオールゼロということになる。
【００５５】
そこで、本実施の形態では、ＴＳヌルパケットが出力される期間は、ＴＳ再生部１３ａよりクロック信号供給停止部３００にヌルＴＳ信号ＮＴＳを送信し、クロック信号供給停止部３００によりシンドローム算出回路１００に供給するクロック信号を停止させる。このクロック信号の供給を停止させることにより、シンドローム算出回路１００では、全ての処理動作が一時的（停止期間中）に停止（中断）される。
【００５６】
図３は本実施の形態１におけるクロック信号供給停止の動作を示すフローチャートである。
クロック信号供給停止部３００は、ＴＳパケット再生部１３ａよりヌルＴＳ信号ＮＴＳを受信したか否かを判断することにより、ＴＳパケット再生部１３ａから出力される再生されたＴＳパケットがＴＳヌルパケットであるか否かを判断する（Ｓ１）。
【００５７】
クロック信号供給停止部３００は、ＴＳパケット再生部１３ａから出力されたＴＳパケットがＴＳヌルパケットであると判定した場合（Ｓ１：ＹＥＳ）には、シンドローム算出回路１００へのクロック信号ＣＬＫ２の供給を停止する（Ｓ２）。
【００５８】
一方、クロック信号供給停止部３００は、ＴＳパケット再生部１３ａから出力されたＴＳパケットがＴＳヌルパケットではなく有効なＴＳパケットであると判定した場合（Ｓ１：ＮＯ）には、シンドローム算出回路１００へのクロック信号ＣＬＫ２の供給を行なう（Ｓ３）。
【００５９】
このように、本実施の形態では、ヌルＴＳ信号ＮＴＳを受信した場合にクロック信号の供給を停止することにより、シンドローム算出回路１００の全ての処理動作を停止させ、電力消費を抑制することができる。従って、前述したように再生されたＴＳパケットの出力期間中で最大７／８の割合となるＴＳヌルパケットの出力期間におけるシンドローム算出回路１００の消費電力を削減することができるので、デジタル放送受信装置全体の消費電力を大きく低減することができる。
【００６０】
実施の形態２．
上記した実施の形態１では、誤り訂正／復号ブロック中のＴＳパケット再生部からＴＳヌルパケットが出力された際に、ＲＳ復号部内のシンドローム算出回路に供給されるクロック信号を停止させていたが、以下に説明する実施の形態２では、ＴＳパケット再生部からＴＳヌルパケットが出力された際に、ＲＳ復号部内の誤り算出回路に供給されるクロック信号を停止させるように構成した。
【００６１】
図４は、本発明の実施の形態２のデジタル放送受信装置における誤り訂正／復号ブロックの構成を示すブロック図である。
図４の誤り訂正／復号ブロック１２において、図１に示した実施の形態１のデジタル放送受信装置における誤り訂正／復号ブロックの構成と異なる点は、ＶＣＸＯ１９の生成したクロック信号ＣＬＫ１がＲＳ復号部１７内の誤り算出回路１０７に供給される経路途中に、ヌルＴＳ信号を受信した場合にクロック信号ＣＬＫ３の供給を停止するクロック信号供給停止部３０１（クロック信号供給停止手段）を備え、ヌルＴＳ信号を受信しない場合にクロック信号供給停止部３０１からクロック信号ＣＬＫ３が供給される点である。他の構成は、図１に示した実施の形態１のデジタル放送受信装置における誤り訂正／復号ブロックの構成と同様である。
【００６２】
また、誤り算出回路１０７は、図１９を用いて上述したように、ＲＳ復号部１２における誤り算出回路であり、シンドローム算出回路１００から出力されたシンドローム値により、入力するＴＳパケットに含まれる誤りの位置および誤りの大きさ（数値）を算出するものである。
【００６３】
上述した実施の形態１と同様に、本実施の形態でも、ＴＳパケット再生部１３ａによって作成されたＴＳヌルパケットがＲＳ復号部１７に入力している場合、このＴＳヌルパケットに誤りデータが含まれることはないので、誤り算出回路１０７で算出される誤り位置および誤り数値は誤りなしの場合の値であるオールゼロの値となる。よって、ＴＳヌルパケットが入力してきた場合には、あえて誤り位置および誤り数値を算出する必要はない。
【００６４】
そこで、本実施の形態では、ＴＳヌルパケットが出力される期間は、ＴＳ再生部１３ａよりクロック信号供給停止部３０１にヌルＴＳ信号ＮＴＳを送信し、クロック信号供給停止部３０１により誤り算出回路１０７に供給するクロック信号を停止させる。このクロック信号の供給を停止させることにより、誤り算出回路１０７では、全ての処理動作が一時的（停止期間中）に停止（中断）される。
【００６５】
図５は本実施の形態２におけるクロック信号供給停止の動作を示すフローチャートである。
クロック信号供給停止部３０１は、ＴＳパケット再生部１３ａよりヌルＴＳ信号ＮＴＳを受信したか否かを判断することにより、ＴＳパケット再生部１３ａから出力される再生されたＴＳパケットがＴＳヌルパケットであるか否かを判断する（Ｓ１１）。
【００６６】
クロック信号供給停止部３０１は、ＴＳパケット再生部１３ａから出力されたＴＳパケットがＴＳヌルパケットであると判定した場合（Ｓ１１：ＹＥＳ）には、誤り算出回路１０７へのクロック信号ＣＬＫ３の供給を停止する（Ｓ１２）。
【００６７】
一方、クロック信号供給停止部３０１は、ＴＳパケット再生部１３ａから出力されたＴＳパケットがＴＳヌルパケットではなく有効なＴＳパケットであると判定した場合（Ｓ１１：ＮＯ）には、誤り算出回路１０７へのクロック信号ＣＬＫ３の供給を行なう（Ｓ１３）。
【００６８】
このように、本実施の形態では、ヌルＴＳ信号ＮＴＳを受信した場合にクロック信号の供給を停止することにより、誤り算出回路１０７の全ての処理動作を停止させ、電力消費を抑制することができる。従って、前述したように再生されたＴＳパケットの出力期間中で最大７／８の割合となるＴＳヌルパケットの出力期間における誤り算出回路１０７の消費電力を削減することができるので、デジタル放送受信装置全体の消費電力を大きく低減することができる。
【００６９】
実施の形態３．
上記した実施の形態１では、誤り訂正／復号ブロック中のＴＳパケット再生部からＴＳヌルパケットが出力された際に、ＲＳ復号部内のシンドローム算出回路に供給されるクロック信号を停止させ、実施の形態２では、ＲＳ復号部内の誤り算出回路に供給されるクロック信号を停止させていたが、以下に説明する実施の形態３では、ＴＳパケット再生部からＴＳヌルパケットが出力された際に、ＲＳ復号部内のメモリに供給されるクロック信号を停止させるように構成した。
【００７０】
図６は、本発明の実施の形態３のデジタル放送受信装置における誤り訂正／復号ブロックの構成を示すブロック図である。
図６の誤り訂正／復号ブロック１２において、図１に示した実施の形態１のデジタル放送受信装置における誤り訂正／復号ブロックの構成と異なる点は、ＶＣＸＯ１９の生成したクロック信号ＣＬＫ１がＲＳ復号部１７内のメモリ１０６に供給される経路途中に、ヌルＴＳ信号を受信した場合にクロック信号ＣＬＫ４の供給を停止するクロック信号供給停止部３０２（クロック信号供給停止手段）を備え、ヌルＴＳ信号を受信しない場合にクロック信号供給停止部３０２からクロック信号ＣＬＫ４が供給される点である。他の構成は、図１に示した実施の形態１のデジタル放送受信装置における誤り訂正／復号ブロックの構成と同様である。
【００７１】
また、本実施の形態のメモリ１０６は、ＲＳ復号部１７において、受信データから再生されたＴＳパケットを遅延させて出力するためのものであり、クロック信号ＣＬＫ４の供給が停止された場合には、ＴＳパケットを遅延させず（書き込み／蓄積／読み出しが実施されず）に通過させるものとする。
【００７２】
上述した実施の形態１および２では、ＴＳパケット再生部１３ａによって作成されたＴＳヌルパケットがＲＳ復号部１７に入力している場合、このＴＳヌルパケットには誤りデータが含まれることはないので、誤り算出回路１０７で算出される誤り位置および誤り数値は誤りなしの場合の値であるオールゼロの値となることを利用していたが、本実施の形態では、ＴＳヌルパケットは既知データであるので、あえてメモリ１０６に蓄えて遅延させる必要はなく、ＲＳ復号部１７でＴＳヌルパケットを再生できるということを利用する。
【００７３】
そこで、本実施の形態では、ＴＳヌルパケットが出力される期間は、ＴＳ再生部１３ａよりクロック信号供給停止部３０２にヌルＴＳ信号ＮＴＳを送信し、クロック信号供給停止部３０２によりメモリ１０６に供給するクロック信号を停止させる。このクロック信号の供給を停止させることにより、メモリ１０６では、全ての処理動作が一時的（停止期間中）に停止（中断）され、ＴＳヌルパケットは、誤り訂正出力回路１０５で再生される。
【００７４】
図７は本実施の形態３におけるクロック信号供給停止の動作を示すフローチャートである。
クロック信号供給停止部３０２は、ＴＳパケット再生部１３ａよりヌルＴＳ信号ＮＴＳを受信したか否かを判断することにより、ＴＳパケット再生部１３ａから出力される再生されたＴＳパケットがＴＳヌルパケットであるか否かを判断する（Ｓ２１）。
【００７５】
クロック信号供給停止部３０２は、ＴＳパケット再生部１３ａから出力されたＴＳパケットがＴＳヌルパケットであると判定した場合（Ｓ２１：ＹＥＳ）には、メモリ１０６へのクロック信号ＣＬＫ４の供給を停止する（Ｓ２２）。
【００７６】
一方、クロック信号供給停止部３０２は、ＴＳパケット再生部１３ａから出力されたＴＳパケットがＴＳヌルパケットではなく有効なＴＳパケットであると判定した場合（Ｓ２１：ＮＯ）には、メモリ１０６へのクロック信号ＣＬＫ４の供給を行なう（Ｓ２３）。
【００７７】
このように、本実施の形態では、ヌルＴＳ信号ＮＴＳを受信した場合にクロック信号の供給を停止することにより、メモリ１０６における遅延（書き込み／蓄積／読み出し）の処理動作を停止させて、電力消費を抑制することができる。従って、前述したように再生されたＴＳパケットの出力期間中で最大７／８の割合となるＴＳヌルパケットの出力期間におけるメモリ１０６の消費電力を削減することができるので、デジタル放送受信装置全体の消費電力を大きく低減することができる。
【００７８】
実施の形態４．
上記した実施の形態１〜３では、誤り訂正／復号ブロック中のＴＳパケット再生部からＴＳヌルパケットが出力された際に、ＲＳ復号部内の一部の回路に供給されるクロック信号を停止させていたが、以下に説明する実施の形態４では、ＴＳパケット再生部からＴＳヌルパケットが出力された際に、誤り訂正／復号ブロック中のバイトデインターリーブ部に供給されるクロック信号を停止させるように構成した。
【００７９】
図８は、本発明の実施の形態４のデジタル放送受信装置における誤り訂正／復号ブロックの構成を示すブロック図である。
図８の誤り訂正／復号ブロック１２において、図１に示した実施の形態１のデジタル放送受信装置における誤り訂正／復号ブロックの構成と異なる点は、ＶＣＸＯ１９の生成したクロック信号ＣＬＫ１がバイトデインターリーブ部１５に供給される経路途中に、ヌルＴＳ信号を受信した場合にクロック信号ＣＬＫ５の供給を停止するクロック信号供給停止部３０３（クロック信号供給停止手段）を備え、ヌルＴＳ信号を受信しない場合にクロック信号供給停止部３０３からクロック信号ＣＬＫ５が供給される点である。他の構成は、図１に示した実施の形態１のデジタル放送受信装置における誤り訂正／復号ブロックの構成と同様である。
【００８０】
また、例えば、地上波デジタル放送方式においては、３階層まで使用できるので、階層毎に畳こみ符号化率、インタリーブ長などを独立に設定することが可能であることから、バイトデインターリーブ部１５も階層毎に複数（３組）の処理ブロックを設ける必要がある。従って、本実施の形態のバイトデインターリーブ部１５も図８に示した第１階層：（１）〜第３階層：（３）までのように複数階層から構成されるが、クロック信号ＣＬＫ５については、クロック信号供給停止部３０３から一括して各階層に供給する場合を示している。
【００８１】
ＴＳパケット再生部１３ａより出力されるＴＳパケットは、ＴＳパケット毎に時間多重されており、複数の階層に属するＴＳパケットが同時に出力されてくることはないので、バイトデインターリーブ部１５の各階層毎にクロック信号の供給を制御することも考えられるが、その点については後述する実施形態６で説明する。
【００８２】
上述した実施の形態１および２と同様に、ＴＳパケット再生部１３ａによって作成されたＴＳヌルパケットがバイトデインターリーブ部１５に入力する場合、このＴＳヌルパケットには誤りデータが含まれることはないことから、バイトデインターリーブ部１５でデインターリーブを実施する必要はないことになる。
【００８３】
そこで、本実施の形態では、ＴＳヌルパケットが出力される期間は、ＴＳ再生部１３ａよりクロック信号供給停止部３０３にヌルＴＳ信号ＮＴＳを送信し、クロック信号供給停止部３０３によりバイトデインターリーブ部１５に供給するクロック信号ＣＬＫ５を停止させる。このクロック信号ＣＬＫ５の供給を停止させることにより、バイトデインターリーブ部１５では、全ての処理動作が一時的（停止期間中）に停止（中断）され、ＴＳパケットは、バイトデインターリーブ部１５をデインターリーブ等の処理がなされずに通過して、エネルギー逆拡散部１６に入力する。
【００８４】
図９は本実施の形態４におけるクロック信号供給停止の動作を示すフローチャートである。
クロック信号供給停止部３０３は、ＴＳパケット再生部１３ａよりヌルＴＳ信号ＮＴＳを受信したか否かを判断することにより、ＴＳパケット再生部１３ａから出力される再生されたＴＳパケットがＴＳヌルパケットであるか否かを判断する（Ｓ３１）。
【００８５】
クロック信号供給停止部３０３は、ＴＳパケット再生部１３ａから出力されたＴＳパケットがＴＳヌルパケットであると判定した場合（Ｓ３１：ＹＥＳ）には、バイトデインターリーブ部１５へのクロック信号ＣＬＫ５の供給を停止する（Ｓ３２）。
【００８６】
一方、クロック信号供給停止部３０３は、ＴＳパケット再生部１３ａから出力されたＴＳパケットがＴＳヌルパケットではなく有効なＴＳパケットであると判定した場合（Ｓ３１：ＮＯ）には、バイトデインターリーブ部１５へのクロック信号ＣＬＫ５の供給を行なう（Ｓ３３）。
【００８７】
このように、本実施の形態では、ヌルＴＳ信号ＮＴＳを受信した場合にクロック信号の供給を停止することにより、バイトデインターリーブ部１５におけるデインターリーブの処理動作を停止させてデータをそのまま通過させ、電力消費を抑制することができる。従って、前述したように再生されたＴＳパケットの出力期間中で最大７／８の割合となるＴＳヌルパケットの出力期間におけるバイトデインターリーブ部１５の消費電力を削減することができるので、デジタル放送受信装置全体の消費電力を大きく低減することができる。
【００８８】
実施の形態５．
上記した実施の形態４では、誤り訂正／復号ブロック中のＴＳパケット再生部からＴＳヌルパケットが出力された際に、誤り訂正／復号ブロック中のバイトデインターリーブ部に供給されるクロック信号を停止させていたが、以下に説明する実施の形態５では、誤り訂正／復号ブロック中のエネルギー逆拡散部に供給されるクロック信号を停止させるように構成した。
【００８９】
図１０は、本発明の実施の形態５のデジタル放送受信装置における誤り訂正／復号ブロックの構成を示すブロック図である。
図１０の誤り訂正／復号ブロック１２において、図８に示した実施の形態４のデジタル放送受信装置における誤り訂正／復号ブロックの構成と異なる点は、ＶＣＸＯ１９の生成したクロック信号ＣＬＫ１がエネルギー逆拡散部１６に供給される経路途中に、ヌルＴＳ信号を受信した場合にクロック信号ＣＬＫ６の供給を停止するクロック信号供給停止部３０４（クロック信号供給停止手段）を備え、ヌルＴＳ信号を受信しない場合にクロック信号供給停止部３０４からクロック信号ＣＬＫ６が供給される点である。他の構成は、図８に示した実施の形態４のデジタル放送受信装置における誤り訂正／復号ブロックの構成と同様である。
【００９０】
また、例えば、地上波デジタル放送方式においては、３階層まで使用でき、前段のバイトデインターリーブ部１５で、階層毎に畳こみ符号化率、インタリーブ長などを独立に設定することが可能であることから、エネルギー逆拡散部１６も階層毎に複数（３組）の処理ブロックを設ける必要がある。従って、本実施の形態のエネルギー逆拡散部１６も図１０に示した第１階層：（１）〜第３階層：（３）までのように複数階層から構成されるが、クロック信号ＣＬＫ６については、クロック信号供給停止部３０４から一括して各階層に供給する場合を示している。
【００９１】
ＴＳパケット再生部１３ａより出力されるＴＳパケットは、ＴＳパケット毎に時間多重されており、複数の階層に属するＴＳパケットが同時に出力されてくることはないので、エネルギー逆拡散部１６の各階層毎にクロック信号の供給を制御することも考えられるが、その点については後述する実施形態７で説明する。
【００９２】
上述した実施の形態１および２と同様に、ＴＳパケット再生部１３ａによって作成されたＴＳヌルパケットがエネルギー逆拡散部１６に入力する場合、このＴＳヌルパケットには誤りデータが含まれることはないことから、エネルギー逆拡散部１６でエネルギー逆拡散を実施する必要はないことになる。
【００９３】
そこで、本実施の形態では、ＴＳヌルパケットが出力される期間は、ＴＳ再生部１３ａよりクロック信号供給停止部３０４にヌルＴＳ信号ＮＴＳを送信し、クロック信号供給停止部３０４によりエネルギー逆拡散部１６に供給するクロック信号ＣＬＫ６を停止させる。このクロック信号ＣＬＫ６の供給を停止させることにより、エネルギー逆拡散部１６では、全ての処理動作が一時的（停止期間中）に停止（中断）され、ＴＳパケットは、エネルギー逆拡散部１６をエネルギー逆拡散処理がなされずに通過して、ＲＳ復号部１７に入力する。
【００９４】
図１１は本実施の形態５におけるクロック信号供給停止の動作を示すフローチャートである。
クロック信号供給停止部３０４は、ＴＳパケット再生部１３ａよりヌルＴＳ信号ＮＴＳを受信したか否かを判断することにより、ＴＳパケット再生部１３ａから出力される再生されたＴＳパケットがＴＳヌルパケットであるか否かを判断する（Ｓ４１）。
【００９５】
クロック信号供給停止部３０４は、ＴＳパケット再生部１３ａから出力されたＴＳパケットがＴＳヌルパケットであると判定した場合（Ｓ４１：ＹＥＳ）には、エネルギー逆拡散部１６へのクロック信号ＣＬＫ６の供給を停止する（Ｓ４２）。
【００９６】
一方、クロック信号供給停止部３０４は、ＴＳパケット再生部１３ａから出力されたＴＳパケットがＴＳヌルパケットではなく有効なＴＳパケットであると判定した場合（Ｓ４１：ＮＯ）には、エネルギー逆拡散部１６へのクロック信号ＣＬＫ６の供給を行なう（Ｓ４３）。
【００９７】
このように、本実施の形態では、ヌルＴＳ信号ＮＴＳを受信した場合にクロック信号の供給を停止することにより、エネルギー逆拡散部１６におけるエネルギー逆拡散の処理動作を停止させてデータをそのまま通過させ、電力消費を抑制することができる。従って、前述したように再生されたＴＳパケットの出力期間中で最大７／８の割合となるＴＳヌルパケットの出力期間におけるエネルギー逆拡散部１６の消費電力を削減することができるので、デジタル放送受信装置全体の消費電力を大きく低減することができる。
【００９８】
実施の形態６．
上記した実施の形態１〜４では、誤り訂正／復号ブロック中のＴＳパケット再生部からＴＳヌルパケットが出力された際に、誤り訂正／復号ブロック中の一部の回路に供給されるクロック信号を停止させていたが、以下に説明する実施の形態６では、例えば、地上波デジタル放送方式に従って伝送される複数階層のいずれか１階層に属するＴＳパケットがＴＳパケット再生部から出力されている期間中、そのＴＳパケットが属する階層のバイトデインタリーブ部のみにクロック信号を供給し、残りの階層のバイトデインタリーブ部に供給されるクロック信号を停止させるようにした。
【００９９】
図１２は、本発明の実施の形態６のデジタル放送受信装置における誤り訂正／復号ブロックの構成を示すブロック図である。
図１２の誤り訂正／復号ブロック１２において、図８に示した実施の形態４のデジタル放送受信装置における誤り訂正／復号ブロックの構成と異なる点は、まず、ＴＳパケット再生部１３ｂは、ＴＳパケット再生部１３ａのようにヌルＴＳ信号を送出せず、再生され出力されるＴＳパケットが何れの階層であるかを示すＴＳ階層信号を出力し、ＶＣＸＯ１９の生成したクロック信号ＣＬＫ１がバイトデインターリーブ部１５に供給される経路途中に、ＴＳ階層信号を受信した場合に、その指示内容に従ってクロック信号ＣＬＫ７〜９の内から１つのクロック信号を供給し、残りのクロック信号の供給は停止するクロック信号供給選択部３０５（クロック信号供給選択手段）を備える点、また、クロック信号供給選択部３０５から各階層毎のバイトデインターリーブ部１５ａ〜１５ｃまでのクロック信号供給経路が個別に設定される点である。他の構成は、図８に示した実施の形態４のデジタル放送受信装置における誤り訂正／復号ブロックの構成と同様である。
【０１００】
本実施の形態では、実施の形態４では一括して供給していたバイトデインターリーブ部１５の各階層へのクロック信号を、第１階層：（１）のバイトデインターリーブ部１５ａ、第２階層：（２）のバイトデインターリーブ部１５ｂ、第３階層：（３）のバイトデインターリーブ部１５ｃの個別に何れか１個のみに供給する場合を示している。
【０１０１】
上述したように、ＴＳパケット再生部１３ｂより出力されるＴＳパケットは、ＴＳパケット毎に時間多重されており、複数の階層に属するＴＳパケットが同時に出力されてくることはないので、各階層毎のバイトデインターリーブ部１５ａ〜ｃに個別に必要となる階層のものにだけクロック信号を供給することで、より消費電力を低減することができる。
【０１０２】
例えば、ＴＳパケット再生部１３ｂによって作成された第１階層：（１）のＴＳパケットのデータがバイトデインターリーブ部１５ａに入力する場合、第２階層：（２）のバイトデインターリーブ部１５ｂ、あるいは、第３階層：（３）のバイトデインターリーブ部１５ｃにはＴＳパケットのデータが入力されないことから、バイトデインターリーブ部１５ｂあるいは１５ｃでデインターリーブを実施する必要はないことになる。
【０１０３】
そこで、本実施の形態では、例えば、第１階層：（１）のＴＳパケットが出力される期間は、ＴＳ再生部１３ｂよりクロック信号供給停止部３０５にＴＳ階層信号ＴＳＳを送信し、クロック信号供給停止部３０５によりバイトデインターリーブ部１５ａに供給するクロック信号ＣＬＫ７のみを出力させ、残りのバイトデインターリーブ部１５ｂに供給するクロック信号ＣＬＫ８およびバイトデインターリーブ部１５ｃに供給するクロック信号ＣＬＫ９については出力を停止させる。
【０１０４】
このクロック信号ＣＬＫ７のみを供給して、他のクロック信号ＣＬＫ８およびクロック信号ＣＬＫ９については停止させることにより、バイトデインターリーブ部１５ａでは第１階層：（１）のＴＳパケットのデータに対してデインターリーブ等の処理が実施されるのに対して、バイトデインターリーブ部１５ｂおよび１５ｃでは、全ての処理動作が一時的（第１階層：（１）のＴＳパケットが出力される期間中）に停止（中断）される。
【０１０５】
同様にして、第２階層：（２）のＴＳパケットが出力される期間は、バイトデインターリーブ部１５ｂのみにクロック信号ＣＬＫ８が供給されて他のバイトデインターリーブ部１５ａおよび１５ｃに対するクロック信号の供給は停止され、第３階層：（３）のＴＳパケットが出力される期間は、バイトデインターリーブ部１５ｃのみにクロック信号ＣＬＫ９が供給されて他のバイトデインターリーブ部１５ａおよび１５ｂに対するクロック信号の供給は停止される。
【０１０６】
図１３は本実施の形態６におけるクロック信号供給停止の動作を示すフローチャートである。
クロック信号供給停止部３０５は、ＴＳパケット再生部１３ｂよりＴＳ階層信号ＴＳＳにより示された階層を判断することにより、ＴＳパケット再生部１３ｂから出力される再生されたＴＳパケットが第１階層：（１）のＴＳパケットであるか、第２階層：（２）のＴＳパケットであるか、あるいは、第３階層：（３）のＴＳパケットであるかを判断する（Ｓ５１）。
【０１０７】
クロック信号供給停止部３０５は、ＴＳパケット再生部１３ｂから出力されたＴＳパケットが第１階層：（１）のＴＳパケットであると判定した場合（Ｓ５１：Ｎ＝１）には、バイトデインターリーブ部１５ａへのクロック信号ＣＬＫ７のみを供給し、クロック信号ＣＬＫ８およびＣＬＫ９を停止する（Ｓ５２）。
【０１０８】
クロック信号供給停止部３０５は、ＴＳパケット再生部１３ｂから出力されたＴＳパケットが第２階層：（２）のＴＳパケットであると判定した場合（Ｓ５１：Ｎ＝２）には、バイトデインターリーブ部１５ｂへのクロック信号ＣＬＫ８のみを供給し、クロック信号ＣＬＫ７およびＣＬＫ９を停止する（Ｓ５３）。
【０１０９】
クロック信号供給停止部３０５は、ＴＳパケット再生部１３ｂから出力されたＴＳパケットが第３階層：（３）のＴＳパケットであると判定した場合（Ｓ５１：Ｎ＝３）には、バイトデインターリーブ部１５ｃへのクロック信号ＣＬＫ９のみを供給し、クロック信号ＣＬＫ７およびＣＬＫ８を停止する（Ｓ５４）。
【０１１０】
すなわち、本実施の形態では、ある時刻において処理されるＴＳパケットは１個のみであり、その処理に使用されるバイトデインターリーブ部は、ＴＳパケットの階層に対応したバイトデインターリーブ部１５ａ〜ｃの中の何れか１個のみであることから、処理が実施される階層のバイトデインターリーブ部のみにクロック信号を供給し、他の階層のバイトデインターリーブ部にはクロック信号を供給しないように構成している。
【０１１１】
このように、本実施の形態では、ＴＳ階層信号ＴＳＳを受信して必要となる階層（Ｎ）（Ｎは正の整数：１、２、３、・・・）のバイトデインターリーブ部のみにクロック信号を供給し、他の階層のバイトデインターリーブ部へのクロック信号を停止することにより、必要でない階層のバイトデインターリーブ部におけるデインターリーブ等の処理動作を停止させて、電力消費を抑制することができる。これから、前述したように再生されたＴＳパケットの出力期間中の消費電力を、例えば、地上波デジタルテレビジョン放送のように３階層の場合には１／３の割合に削減することができる。また、地上波デジタル音声放送のように２階層の場合には１／２の割合に削減することができる。従って、本実施形態では、デジタル放送受信装置全体の消費電力を大きく低減することができる。
【０１１２】
実施の形態７．
上記した実施の形態６では、例えば、地上波デジタル放送方式に従って伝送される複数階層のいずれか１階層に属するＴＳパケットがＴＳパケット再生部から出力されている期間中、そのＴＳパケットが属する階層のバイトデインタリーブ部のみにクロック信号を供給し、残りの階層のバイトデインタリーブ部に供給されるクロック信号を停止させるようにしていたが、このことは、実施の形態４に対する実施の形態５のように、エネルギー逆拡散部にも適用することができる。以下の実施の形態７では、いずれか１階層に属するＴＳパケットがＴＳパケット再生部から出力されている期間中、そのＴＳパケットが属する階層のエネルギー逆拡散部のみにクロック信号を供給し、残りの階層のエネルギー逆拡散部に供給されるクロック信号を停止させる構成について説明する。
【０１１３】
図１４は、本発明の実施の形態７のデジタル放送受信装置における誤り訂正／復号ブロックの構成を示すブロック図である。
図１４の誤り訂正／復号ブロック１２において、図１０に示した実施の形態５のデジタル放送受信装置における誤り訂正／復号ブロックの構成と異なる点は、まず、ＴＳパケット再生部１３ｂは、ＴＳパケット再生部１３ａのようにヌルＴＳ信号を送出せず、再生され出力されるＴＳパケットが何れの階層であるかを示すＴＳ階層信号を出力し、ＶＣＸＯ１９の生成したクロック信号ＣＬＫ１がエネルギー逆拡散部１６に供給される経路途中に、ＴＳ階層信号を受信した場合に、その指示内容に従ってクロック信号ＣＬＫ１０〜１２の内から１つのクロック信号を供給し、残りのクロック信号の供給は停止するクロック信号供給選択部３０６（クロック信号供給選択手段）を備える点、また、クロック信号供給選択部３０６から各階層毎のエネルギー逆拡散部１６ａ〜１６ｃまでのクロック信号供給経路が個別に設定される点である。他の構成は、図１０に示した実施の形態５のデジタル放送受信装置における誤り訂正／復号ブロックの構成と同様である。
【０１１４】
本実施の形態では、実施の形態５では一括して供給していたエネルギー逆拡散部１６の各階層へのクロック信号を、第１階層：（１）のエネルギー逆拡散部１６ａ、第２階層：（２）のエネルギー逆拡散部１６ｂ、第３階層：（３）のエネルギー逆拡散部１６ｃの個別に何れか１個のみに供給する場合を示している。
【０１１５】
上述したように、ＴＳパケット再生部１３ｂより出力されるＴＳパケットは、ＴＳパケット毎に時間多重されており、複数の階層に属するＴＳパケットが同時に出力されてくることはないので、各階層毎のエネルギー逆拡散部１６ａ〜ｃに個別に必要となる階層のものにだけクロック信号を供給することで、より消費電力を低減することができる。
【０１１６】
例えば、ＴＳパケット再生部１３ｂによって作成された第１階層：（１）のＴＳパケットのデータがエネルギー逆拡散部１６ａに入力する場合、第２階層：（２）のエネルギー逆拡散部１６ｂ、あるいは、第３階層：（３）のエネルギー逆拡散部１６ｃにはＴＳパケットのデータが入力されないことから、エネルギー逆拡散部１６ｂあるいは１６ｃでエネルギー逆拡散を実施する必要はないことになる。
【０１１７】
そこで、本実施の形態では、例えば、第１階層：（１）のＴＳパケットが出力される期間は、ＴＳ再生部１３ｂよりクロック信号供給停止部３０６にＴＳ階層信号ＴＳＳを送信し、クロック信号供給停止部３０６によりエネルギー逆拡散部１６ａに供給するクロック信号ＣＬＫ１０のみを出力させ、残りのエネルギー逆拡散部１６ｂに供給するクロック信号ＣＬＫ１１およびエネルギー逆拡散部１６ｃに供給するクロック信号ＣＬＫ１２については出力を停止させる。
【０１１８】
このクロック信号ＣＬＫ１０のみを供給して、他のクロック信号ＣＬＫ１１およびクロック信号ＣＬＫ１２については停止させることにより、エネルギー逆拡散部１６ａでは第１階層：（１）のＴＳパケットのデータに対してエネルギー逆拡散の処理が実施されるのに対して、エネルギー逆拡散部１６ｂおよび１６ｃでは、全ての処理動作が一時的（第１階層：（１）のＴＳパケットが出力される期間中）に停止（中断）される。
【０１１９】
同様にして、第２階層：（２）のＴＳパケットが出力される期間は、エネルギー逆拡散部１６ｂのみにクロック信号ＣＬＫ１１が供給されて他のエネルギー逆拡散部１６ａおよび１６ｃに対するクロック信号の供給は停止され、第３階層：（３）のＴＳパケットが出力される期間は、エネルギー逆拡散部１６ｃのみにクロック信号ＣＬＫ１２が供給されて他のエネルギー逆拡散部１６ａおよび１６ｂに対するクロック信号の供給は停止される。
【０１２０】
図１５は本実施の形態７におけるクロック信号供給停止の動作を示すフローチャートである。
クロック信号供給停止部３０６は、ＴＳパケット再生部１３ｂよりＴＳ階層信号ＴＳＳにより示された階層を判断することにより、ＴＳパケット再生部１３ｂから出力される再生されたＴＳパケットが第１階層：（１）のＴＳパケットであるか、第２階層：（２）のＴＳパケットであるか、あるいは、第３階層：（３）のＴＳパケットであるかを判断する（Ｓ６１）。
【０１２１】
クロック信号供給停止部３０６は、ＴＳパケット再生部１３ｂから出力されたＴＳパケットが第１階層：（１）のＴＳパケットであると判定した場合（Ｓ６１：Ｎ＝１）には、エネルギー逆拡散部１６ａへのクロック信号ＣＬＫ１０のみを供給し、クロック信号ＣＬＫ１１およびＣＬＫ１２を停止する（Ｓ６２）。
【０１２２】
クロック信号供給停止部３０６は、ＴＳパケット再生部１３ｂから出力されたＴＳパケットが第２階層：（２）のＴＳパケットであると判定した場合（Ｓ６１：Ｎ＝２）には、エネルギー逆拡散部１６ｂへのクロック信号ＣＬＫ１１のみを供給し、クロック信号ＣＬＫ１０およびＣＬＫ１２を停止する（Ｓ６３）。
【０１２３】
クロック信号供給停止部３０５は、ＴＳパケット再生部１３ｂから出力されたＴＳパケットが第３階層：（３）のＴＳパケットであると判定した場合（Ｓ６１：Ｎ＝３）には、エネルギー逆拡散部１６ｃへのクロック信号ＣＬＫ１２のみを供給し、クロック信号ＣＬＫ１０およびＣＬＫ１１を停止する（Ｓ６４）。
【０１２４】
すなわち、本実施の形態では、ある時刻において処理されるＴＳパケットは１個のみであり、その処理に使用されるエネルギー逆拡散部は、ＴＳパケットの階層に対応したエネルギー逆拡散部１６ａ〜ｃの中の何れか１個のみであることから、処理が実施される階層のエネルギー逆拡散部のみにクロック信号を供給し、他の階層のエネルギー逆拡散部にはクロック信号を供給しないように構成している。
【０１２５】
このように、本実施の形態では、ＴＳ階層信号ＴＳＳを受信して必要となる階層（Ｎ）（Ｎは正の整数：１、２、３、・・・）のエネルギー逆拡散部のみにクロック信号を供給し、他の階層のエネルギー逆拡散部へのクロック信号を停止することにより、必要でない階層のエネルギー逆拡散部における逆拡散の処理動作を停止させて、電力消費を抑制することができる。これから、前述したように再生されたＴＳパケットの出力期間中の消費電力を、例えば、地上波デジタルテレビジョン放送のように３階層の場合には１／３の割合に削減することができる。また、地上波デジタル音声放送のように２階層の場合には１／２の割合に削減することができる。従って、本実施形態では、デジタル放送受信装置全体の消費電力を大きく低減することができる。
【０１２６】
実施の形態８．
上記した実施の形態２では、誤り訂正／復号ブロック中のＴＳパケット再生部からＴＳヌルパケットが出力された際に、誤り訂正／復号ブロック中のＲＳ復号部１７の誤り算出回路１０７に供給されるクロック信号を停止させていたが、例えば、誤り算出回路１０７の前段に配置されるシンドローム算出回路の出力によっても、誤りがないＴＳパケットが出力されたことを検出することは可能である。
【０１２７】
これは、例えば、地上波デジタル放送方式において、誤り訂正の処理はビタビ復号とＲＳ復号で実施されているが、ＴＳパケット再生部では誤りを有していたＴＳパケットのデータが、次段のビタビ復号回路の処理のみで受信データに含まれる誤りが全て訂正できてしまうことがあり、その場合には、ＲＳ復号部の処理は必要なくなってしまう。このような場合には、ＴＳパケット再生部からＴＳヌルパケットは出力されないので、シンドローム算出回路の出力によって誤りがないＴＳパケットを検出することは重要になる。
【０１２８】
そこで、以下に説明する実施の形態８では、シンドローム算出回路でＴＳヌルパケットが検出されている期間中、誤り算出回路１０７に供給されるクロック信号を停止させるように構成した。
【０１２９】
図１６は、本発明の実施の形態８のデジタル放送受信装置における誤り訂正／復号ブロックの構成を示すブロック図である。
図１６の誤り訂正／復号ブロック１２において、図４に示した実施の形態２のデジタル放送受信装置における誤り訂正／復号ブロックの構成と異なる点は、まず、ＴＳパケット再生部１３は、ヌルＴＳ信号を送出しない点、その代わりにシンドローム算出回路１００ａが、入力するＴＳパケットから算出した誤りシンドローム値をクロック信号供給停止部３０７に出力する点。ＶＣＸＯ１９の生成したクロック信号ＣＬＫ１がＲＳ復号部１７内の誤り算出回路１０７に供給される経路途中に、誤りデータが含まれないと判断できる誤りシンドローム値を受信した場合にクロック信号ＣＬＫ１３の供給を停止するクロック信号供給停止部３０７（クロック信号供給停止手段）を備え、誤りデータが含まれないと判断できる誤りシンドローム値（誤りゼロシンドローム値ＥＺＳ）を受信しない場合にクロック信号供給停止部３０７からクロック信号ＣＬＫ１３が供給される点である。他の構成は、図４に示した実施の形態２のデジタル放送受信装置における誤り訂正／復号ブロックの構成と同様である。
【０１３０】
上述した実施の形態２と同様に、本実施の形態でも、シンドローム算出回路１００ａより入力するＴＳパケットに誤りゼロシンドローム値ＥＺＳが出力された場合、このＴＳパケットに誤りデータが含まれることはないので、誤り算出回路１０７で算出される誤り位置および誤り数値は誤りなしの場合の値であるオールゼロの値となる。よって、シンドローム算出回路１００ａで誤りゼロシンドローム値ＥＺＳとなるＴＳパケットが入力してきた場合には、あえて誤り位置および誤り数値を算出する必要はない。
【０１３１】
そこで、本実施の形態では、シンドローム算出回路１００ａから誤りゼロシンドローム値ＥＺＳのＴＳパケットが出力される期間は、シンドローム算出回路１００ａよりクロック信号供給停止部３０７に誤りゼロシンドローム値ＥＺＳを送信し、クロック信号供給停止部３０７により誤り算出回路１０７に供給するクロック信号を停止させる。このクロック信号の供給を停止させることにより、誤り算出回路１０７では、全ての処理動作が一時的（停止期間中）に停止（中断）される。
【０１３２】
図１７は本実施の形態８におけるクロック信号供給停止の動作を示すフローチャートである。
クロック信号供給停止部３０７は、シンドローム算出回路１００ａから誤りゼロシンドローム値ＥＺＳを受信したか否かを判断することにより、シンドローム算出回路１００ａから出力される再生されたＴＳパケットが、誤りゼロシンドローム値ＥＺＳのＴＳパケットであるか否かを判断する（Ｓ７１）。
【０１３３】
クロック信号供給停止部３０７は、シンドローム算出回路１００ａから出力されるＴＳパケットが、誤りゼロシンドローム値ＥＺＳのＴＳパケットであると判定した場合（Ｓ７１：ＹＥＳ）には、誤り算出回路１０７へのクロック信号ＣＬＫ１３の供給を停止する（Ｓ７２）。
【０１３４】
一方、クロック信号供給停止部３０７は、シンドローム算出回路１００ａから出力されるＴＳパケットが、誤りゼロシンドローム値ＥＺＳのＴＳパケットではなく誤りを含むＴＳパケットであると判定した場合（Ｓ７１：ＮＯ）には、誤り算出回路１０７へのクロック信号ＣＬＫ１３の供給を行なう（Ｓ７３）。
【０１３５】
このように、本実施の形態では、シンドローム算出回路１００ａから出力されるＴＳパケットが、誤りゼロシンドローム値ＥＺＳのＴＳパケットである場合にクロック信号の供給を停止することにより、誤り算出回路１０７の全ての処理動作を停止させ、電力消費を抑制することができる。従って、例えば、ビタビ復号のみで受信データに含まれる誤りが全て訂正できる場合であっても、ＲＳ復号部の誤り算出回路の処理を停止させることができ、ＴＳパケットの処理期間の誤り算出回路における消費電力を削減することができるので、デジタル放送受信装置全体の消費電力を大きく低減することができる。
【０１３６】
なお、上記した各実施の形態では、個別の各回路に対してクロックの供給を停止あるいは選択して消費電力を低減させる方法を記載したが、各実施の形態に記載した各個別回路に対する方法を任意に組み合わせて実施することも可能である。
【０１３７】
【発明の効果】
この発明は、以上説明したように構成されているので、以下のような効果を奏する。
【０１３８】
請求項１に記載のデジタル放送受信装置によれば、ＴＳパケット再生部よりＴＳヌルパケットが出力されている期間中、誤り訂正／復号ブロックの少なくとも１つの回路に供給されるクロック信号を停止するようにしたので、処理を行なう必要のないＴＳヌルパケットの入力期間に、その回路の全ての処理動作は停止し、電力消費を抑制することができ、デジタル放送受信装置全体の消費電力を低減することができる。
【０１３９】
請求項２に記載のデジタル放送受信装置によれば、ＴＳパケット再生部よりＴＳヌルパケットが出力されている期間中、ＲＳ復号部に供給されるクロック信号を停止するようにしたので、処理を行なう必要のないＴＳヌルパケットの入力期間に、ＲＳ復号部の全ての処理動作は停止し、電力消費を抑制することができ、デジタル放送受信装置全体の消費電力を低減することができる。
【０１４０】
請求項３に記載のデジタル放送受信装置によれば、ＴＳパケット再生部よりＴＳヌルパケットが出力されている期間中、シンドローム算出回路に供給されるクロック信号を停止するようにしたので、処理を行なう必要のないＴＳヌルパケットの入力期間に、シンドローム算出回路の全ての処理動作は停止し、電力消費を抑制することができ、デジタル放送受信装置全体の消費電力を低減することができる。
【０１４１】
請求項４に記載のデジタル放送受信装置によれば、ＴＳパケット再生部よりＴＳヌルパケットが出力されている期間中、誤り算出回路に供給されるクロック信号を停止するようにしたので、処理を行なう必要のないＴＳヌルパケットの入力期間に、誤り算出回路の全ての処理動作は停止し、電力消費を抑制することができ、デジタル放送受信装置全体の消費電力を低減することができる。
【０１４２】
請求項５に記載のデジタル放送受信装置によれば、ＴＳパケット再生部よりＴＳヌルパケットが出力されている期間中、メモリに供給されるクロック信号を停止するようにしたので、処理を行なう必要のないＴＳヌルパケットの入力期間に、メモリの全ての処理動作は停止し、電力消費を抑制することができ、デジタル放送受信装置全体の消費電力を低減することができる。
【０１４３】
請求項６に記載のデジタル放送受信装置によれば、ＴＳパケット再生部よりＴＳヌルパケットが出力されている期間中、バイトデインタリーブ部に供給されているクロック信号を停止するようにしたので、処理を行なう必要のないＴＳヌルパケットの入力期間に、バイトデインタリーブ部の全ての処理動作は停止し、電力消費を抑制することができ、デジタル放送受信装置全体の消費電力を低減することができる。
【０１４４】
請求項７に記載のデジタル放送受信装置によれば、ＴＳパケット再生部よりＴＳヌルパケットが出力されている期間中、エネルギー逆拡散部に供給されているクロック信号を停止するようにしたので、処理を行なう必要のないＴＳヌルパケットの入力期間に、エネルギー逆拡散部の全ての処理動作は停止し、電力消費を抑制することができ、デジタル放送受信装置全体の消費電力を低減することができる。
【０１４５】
請求項８に記載のデジタル放送受信装置によれば、ＴＳパケット再生部より出力される階層のＴＳパケットをバイトデインタリーブするバイトデインタリーブ部に供給されているクロック信号のみを供給し、他の階層のＴＳパケットをバイトデインタリーブするバイトデインタリーブ部に供給されるクロック信号を停止するようにしたので、処理を行なう必要のある階層のバイトデインタリーブ部のみが動作し、処理を行う必要のない階層のＴＳパケットの入力するバイトデインタリーブ部では全ての処理動作が停止し、電力消費を抑制することができ、デジタル放送受信装置全体の消費電力を低減することができる。
【０１４６】
請求項９に記載のデジタル放送受信装置によれば、ＴＳパケット再生部より出力される階層のＴＳパケットをエネルギー逆拡散するエネルギー逆拡散部に供給されているクロック信号のみを供給し、他の階層のＴＳパケットをエネルギー逆拡散するエネルギー逆拡散部に供給されるクロック信号を停止するようにしたので、処理を行なう必要のある階層のエネルギー逆拡散部のみが動作し、処理を行う必要のない階層のＴＳパケットの入力するエネルギー逆拡散部では全ての処理動作が停止し、電力消費を抑制することができ、デジタル放送受信装置全体の消費電力を低減することができる。
【０１４７】
請求項１０に記載のデジタル放送受信装置によれば、ＲＳ復号部のシンドローム算出回路から出力されるシンドローム値が、入力ＴＳパケットに誤りが含まれていないことを示す値である場合には、誤り算出回路に供給されるクロック信号を停止するようにしたので、処理を行なう必要のない誤りのないＴＳパケットが入力されている期間中、誤り算出回路の全ての処理動作が停止し、電力消費を抑制することができ、デジタル放送受信装置全体の消費電力を低減することができる。
【図面の簡単な説明】
【図１】  本発明の実施の形態１のデジタル放送受信装置における誤り訂正／復号ブロックの構成を示すブロック図である。
【図２】  （ａ）はＴＳパケット再生部の構成を示す図であり、（ｂ）は再生されたＴＳパケットおよびＴＳヌルパケットが出力される様子を示す図である。
【図３】  実施の形態１におけるクロック信号供給停止の動作を示すフローチャートである。
【図４】  本発明の実施の形態２のデジタル放送受信装置における誤り訂正／復号ブロックの構成を示すブロック図である。
【図５】  実施の形態２におけるクロック信号供給停止の動作を示すフローチャートである。
【図６】  本発明の実施の形態３のデジタル放送受信装置における誤り訂正／復号ブロックの構成を示すブロック図である。
【図７】  実施の形態３におけるクロック信号供給停止の動作を示すフローチャートである。
【図８】  本発明の実施の形態４のデジタル放送受信装置における誤り訂正／復号ブロックの構成を示すブロック図である。
【図９】  実施の形態４におけるクロック信号供給停止の動作を示すフローチャートである。
【図１０】  本発明の実施の形態５のデジタル放送受信装置における誤り訂正／復号ブロックの構成を示すブロック図である。
【図１１】  実施の形態５におけるクロック信号供給停止の動作を示すフローチャートである。
【図１２】  本発明の実施の形態６のデジタル放送受信装置における誤り訂正／復号ブロックの構成を示すブロック図である。
【図１３】  実施の形態６におけるクロック信号供給停止の動作を示すフローチャートである。
【図１４】  本発明の実施の形態７のデジタル放送受信装置における誤り訂正／復号ブロックの構成を示すブロック図である。
【図１５】  実施の形態７におけるクロック信号供給停止の動作を示すフローチャートである。
【図１６】  本発明の実施の形態８のデジタル放送受信装置における誤り訂正／復号ブロックの構成を示すブロック図である。
【図１７】  実施の形態８におけるクロック信号供給停止の動作を示すフローチャートである。
【図１８】  一般的な放送方式の地上波デジタルテレビジョン放送受信機の一例を示す図である。
【図１９】  図１８のＲＳ復号部の内部回路ブロックを示した図である。
【図２０】  ＴＳパケット再生部から時間多重されて出力されるＴＳパケットの一例を示した図である。
【符号の説明】
１  チューナ、  ２  ＳＡＷフィルタ、  ３  ＩＦ変換回路、  ４  ローパスフィルタ、  ６  ＡＤ変換器、  ７  ＯＦＤＭ復調部、  ８  時間ドメイン処理部、  ９  ＦＦＴ、  １０  周波数ドメイン処理部、  １１  デインタリーブ部、  １２  誤り訂正ブロック、  １３  ＴＳパケット再生部、  １４  ビタビ復号部、  １５  バイトデインタリーブ部、  １６  エネルギー逆拡散部、  １７ＲＳ復号部、  １８  ＤＡ変換器、  １９  ＶＣＸＯ（クロック信号供給部）、  １００  シンドローム算出回路、  １０１  誤り位置多項式算出部、  １０２  誤り数値多項式算出部、  １０３  誤り位置算出部、  １０４  誤り数値算出部、  １０５  誤り訂正出力回路、  １０６  メモリ、  １０７  誤り算出回路、  ＣＬＫ１  クロック信号、  ＮＴＳ  ヌルＴＳ信号、  ＴＳＳ  ＴＳ階層信号。
【図１】
0004076330.tif 000002
【図２】
0004076330.tif 000003
【図３】
0004076330.tif 000004
【図４】
0004076330.tif 000005
【図５】
0004076330.tif 000006
【図６】
0004076330.tif 000007
【図７】
0004076330.tif 000008
【図８】
0004076330.tif 000009
【図９】
0004076330.tif 000010
【図１０】
0004076330.tif 000011
【図１１】
0004076330.tif 000012
【図１２】
0004076330.tif 000013
【図１３】
0004076330.tif 000014
【図１４】
0004076330.tif 000015
【図１５】
0004076330.tif 000016
【図１６】
0004076330.tif 000017
【図１７】
0004076330.tif 000018
【図１８】
0004076330.tif 000019
【図１９】
0004076330.tif 000020
【図２０】
0004076330.tif 000021